【手続補正書】
【提出日】平成13年10月2日(2001.10.2)
【手続補正１】
【補正対象書類名】明細書
【補正対象項目名】特許請求の範囲
【補正方法】変更
【補正の内容】
【特許請求の範囲】
【請求項１】
第１のエンティティが第２のエンティティの番号を入力した際に該第１のエンティティから該第２のエンティティへと到来する呼出を生成する拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記第１のエンティティからの到来する呼出を受信し、
前記ＰＳＴＮが、前記第１のエンティティの番号を識別し、
前記ＰＳＴＮが、前記到来する呼出及び前記第１のエンティティの番号を前記ＰＳＴＮ交換器から前記ゲートウェイへ送り、
該ゲートウェイが、前記到来する呼出及び前記第１のエンティティの番号を前記サーバへ送り、
該サーバが、前記第２のエンティティのコンピュータ装置がインターネットプロトコル接続を介して前記サーバと通信を行っているか否かを判定し、
該サーバが、前記到来する呼出の存在、識別された前記第１のエンティティの番号、及び入力された前記第２のエンティティの番号を示すメッセージをインターネットプロトコル接続を介して前記コンピュータ装置へ送り、
該サーバが、入力された前記第２のエンティティの番号に従って複数の電話装置のうちの１つへ前記到来する呼出を送る、
拡張された通信サービスを提供する装置。
【請求項２】
第１のエンティティが第２のエンティティの番号を入力した際に該第１のエンティティから該第２のエンティティへと到来する呼出を生成する拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記第１のエンティティからの到来する呼出を受信し、
前記ＰＳＴＮ交換器が、前記第１のエンティティの番号を識別し、
前記ＰＳＴＮ交換器が、前記到来する呼出及び前記第１のエンティティの番号を該ＰＳＴＮ交換器から前記ゲートウェイへ送り、
該ゲートウェイが、前記到来する呼出及び前記第１のエンティティの番号を前記サーバへ送り、
該サーバが、前記第２のエンティティのコンピュータ装置がインターネットプロトコル接続を介して前記サーバと通信を行っているか否かを判定し、
該サーバが、前記到来する呼出の存在、識別された前記第１のエンティティの番号、及び入力された前記第２のエンティティの番号を示すメッセージをインターネットプロトコル接続を介して前記コンピュータ装置へ送り、
該サーバが、入力された前記第２のエンティティの番号に従って複数の電話装置のうちの１つへ前記到来する呼出を送り、
該サーバが、前記到来する呼出に対する返答を行い、
該サーバが、第１のメッセージを再生し、
該サーバが、前記到来するメッセージからの第２のメッセージを記録し、
該サーバが、該第２のメッセージを格納する、
拡張された通信サービスを提供する装置。
【請求項３】
第１のエンティティが第２のエンティティの番号を入力した際に該第１のエンティティから該第２のエンティティへと到来する呼出を生成する拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記第１のエンティティからの到来する呼出を受信し、
前記ＰＳＴＮ交換器が、前記第１のエンティティの番号を識別し、
前記ＰＳＴＮ交換器が、前記到来する呼出及び前記第１のエンティティの番号を該ＰＳＴＮ交換器から前記ゲートウェイへ送り、
該ゲートウェイが、前記到来する呼出及び前記第１のエンティティの番号を前記サーバへ送り、
該サーバが、前記第２のエンティティのコンピュータ装置がインターネットプロトコル接続を介して前記サーバと通信を行っているか否かを判定し、
該サーバが、前記到来する呼出の存在、識別された前記第１のエンティティの番号、及び入力された前記第２のエンティティの番号を示すメッセージをインターネットプロトコル接続を介して前記コンピュータ装置へ送り、
該サーバが、入力された前記第２のエンティティの番号に従って複数の電話装置のうちの１つへ前記到来する呼出を送り、
該サーバが、前記到来する呼出に対する返答を行い、
該サーバが、第１のメッセージを再生し、
該サーバが、前記到来するメッセージからの第２のメッセージを記録し、
該サーバが、該第２のメッセージを格納し、
該サーバが、呼出の転送に関連する特殊な命令が前記コンピュータ装置に格納されているか否かを判定し、
該サーバが、前記第２のエンティティにより指定された番号へ前記到来する呼出を転送する、
拡張された通信サービスを提供する装置。
【請求項４】
通信ネットワークに接続された拡張された通信サービスを提供するシステムであって、
前記通信ネットワークに接続されたＰＳＴＮ交換器と、
該ＰＳＴＮ交換器に関連する中央サーバであって、
メッセージを格納する手段と、
ユーザ認証を提供する手段と、
呼出制御を提供する手段と
を備えている、中央サーバと、
複数の電話器と、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
該コンピュータ装置が、
インターネットプロトコル接続を介して前記中央サーバから情報を受信する手段と、
到来する呼出、発呼側ＩＤ、及び呼出が行われた番号に関する情報を前記中央サーバから受信する手段と、
発呼側ＩＤ情報を表示する手段と、
前記到来する呼出が送られる番号に従って複数の電話器のうちの１つのみに前記到来する呼出を送る手段と、
前記到来する呼出に対する返答を行いメッセージの記録を行うよう前記中央サーバに命令する手段と、
前記到来する呼出を別のロケーションへ転送する手段と
を備えている、拡張された通信サービスを提供するシステム。
【請求項５】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記サーバが、呼出形式、発呼側番号、被呼側番号、時刻、被呼親族等のプロパティに基づき到来する呼出の監視及びスクリーニングを行い、
該サーバが、呼出の取扱いを指定する加入者を捜し出し、
前記コンピュータ装置が、該加入者がインターネットプロトコル接続を介して呼出の取扱いを指定することを可能にし、
前記サーバが、該加入者による呼出の取扱いを観察して記録し、
前記サーバが、該加入者による呼出の取扱いを動的にプロファイリングし、
前記コンピュータ装置が、提案された呼出操作規則を加入者が再検討することを可能にし、
前記サーバが、前記加入者による呼出の取扱いの動的なプロファイルを捕捉して格納する、
拡張された通信サービスを提供する装置。
【請求項６】
通信システム上に拡張された通信サービスを提供する装置であって、
ＰＳＴＮ交換器と、
該ＰＳＴＮ交換器と関連するゲートウェイと、
該ゲートウェイと関連するサーバと、
前記サーバと関連する、重要な電話番号のデータベースと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記サーバが、インターネットプロトコル接続がビジーであって発呼側の番号が前記データベース中に存在する場合にのみ到来する呼出に対して返答を行い、
前記コンピュータ装置が、インターネットプロトコル接続を介して発呼側からの可聴メッセージを加入者が監視することを可能にし、
該コンピュータ装置が、該呼出を如何に操作するかの決定を加入者がインターネットを介して行うことを可能にし、
該コンピュータ装置が、呼出の性質をインターネットプロトコル接続を介して加入者が指定することを可能にする、
通信システム上に拡張された通信サービスを提供する装置。
【請求項７】
第１のエンティティが第２のエンティティの番号を入力した際に該第１のエンティティから該第２のエンティティへと到来する呼出を生成する拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記第１のエンティティからの到来する呼出を受信し、
前記ＰＳＴＮ交換器が、前記第１のエンティティの番号を識別し、
前記ＰＳＴＮ交換器が、前記到来する呼出及び前記第１のエンティティの番号を前記ゲートウェイへ送り、
該ゲートウェイが、前記到来する呼出及び前記第１のエンティティの番号を前記サーバへ送り、
該サーバが、前記第２のエンティティのコンピュータ装置がインターネットプロトコル接続を介して前記サーバと通信を行っているか否かを判定し、
該サーバが、前記到来する呼出の存在、識別された前記第１のエンティティの番号、及び入力された前記第２のエンティティの番号を示すメッセージをインターネットプロトコル接続を介して前記コンピュータ装置へ送り、
該サーバが、入力された前記第２のエンティティの番号に従って複数の電話装置のうちの１つへ前記到来する呼出を送り、
該サーバが、前記到来する呼出に対する返答を行い、
該サーバが、第１のメッセージを再生し、
該サーバが、前記到来するメッセージからの第２のメッセージを記録し、
該サーバが、該第２のメッセージを格納し、
該サーバが、複数の異なる音声挨拶状を記録し、
該サーバが、該音声挨拶状を記憶装置に格納し、
該サーバが、前記音声挨拶状のうちの予め選択された１つを発呼側に対してオンデマンドで再生する、
拡張された通信サービスを提供する装置。
【請求項８】
第１のエンティティが第２のエンティティの番号を入力した際に該第１のエンティティから該第２のエンティティへと到来する呼出を生成する通信システム上に拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記第１のエンティティからの到来する呼出を受信し、
前記ＰＳＴＮ交換器が、前記第１のエンティティの番号を識別し、
前記ＰＳＴＮ交換器が、前記到来する呼出及び前記第１のエンティティの番号を前記ゲートウェイへ送り、
前記サーバが、前記第２のエンティティのコンピュータ装置がインターネットプロトコル接続を介して該サーバと通信を行っているか否かを判定し、
該サーバが、前記到来する呼出の存在、識別された前記第１のエンティティの番号、及び入力された前記第２のエンティティの番号を示すメッセージをインターネットプロトコル接続を介して前記コンピュータ装置へ送り、
該サーバが、前記到来する呼出を保留にし、
前記コンピュータ装置が、前記サーバへダイヤルして前記第１のエンティティと前記第２のエンティティとの間の呼出交差接続を前記サーバにおいて行う、
拡張された通信サービスを提供する装置。
【請求項９】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記第２のエンティティのコンピュータ装置が該サーバと通信を行っているか否かを判定し、
該サーバが、前記到来する呼出の存在を示すと共に前記識別された前記第１のエンティティの情報及び識別された前記到来する呼出の情報を伝達するメッセージを、インターネットプロトコル接続を介して前記コンピュータ装置へ送り、
前記コンピュータ装置が、前記第２のエンティティからの入力を受信し、
前記サーバが、前記到来する呼出を送出する、
拡張された通信サービスを提供する装置。
【請求項１０】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記第２のエンティティのコンピュータ装置が該サーバと通信を行っているか否かを判定し、
該サーバが、前記到来する呼出の存在を示すと共に前記識別された前記第１のエンティティの情報及び識別された前記到来する呼出の情報を伝達するメッセージを、インターネットプロトコル接続を介して前記コンピュータ装置へ送り、
前記コンピュータ装置が、前記第２のエンティティからの入力を受信し、
前記サーバが、前記到来する呼出を送出し、該到来する呼出の送出が、コンピュータ装置の入力及び自動的な規則からなるグループから選択された１つの基準に基づいて行われる、
拡張された通信サービスを提供する装置。
【請求項１１】
拡張された通信サービスを提供する装置であって、
ＰＳＴＮ交換器と、
該ＰＳＴＮ交換器と関連するゲートウェイであって、ローカルゲートウェイ及び中央ゲートウェイからなるグループから選択された１つのゲートウェイからなる、ゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記第２のエンティティのコンピュータ装置が該サーバと通信を行っているか否かを判定し、
該サーバが、前記到来する呼出の存在を示すと共に前記識別された前記第１のエンティティの情報及び識別された前記到来する呼出の情報を伝達するメッセージを、インターネットプロトコル接続を介して前記コンピュータ装置へ送り、
前記コンピュータ装置が、前記第２のエンティティからの入力を受信し、
前記サーバが、前記到来する呼出を送出する、
拡張された通信サービスを提供する装置。
【請求項１２】
第１のエンティティが第２のエンティティの番号を入力した際に該第１のエンティティから該第２のエンティティへと到来する呼出を生成する拡張された通信サービスを提供する装置であって、
前記到来する呼出を受信するＰＳＴＮ交換器と、
該ＰＳＴＮ交換器と関連するゲートウェイと、
該ゲートウェイと関連する、自動的な規則を有するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記到来する呼出及び前記第１のエンティティの呼出情報を該ＰＳＴＮ交換器から前記ゲートウェイへ送り、
該ゲートウェイが、ビジー呼出転送、無返答呼出転送、全呼出転送、及び電話番号ポータビリティからなるグループから選択された１つの呼出転送方法を使用して、前記到来する呼出及び前記第１のエンティティの呼出情報を該ゲートウェイから前記サーバへと送り、
該サーバが、前記第１のエンティティを識別し、
該サーバが、前記第２のエンティティのコンピュータ装置が該サーバと通信を行っているか否かを判定し、
該サーバが、インターネットプロトコル接続を介して前記コンピュータ装置へメッセージを送って、前記到来する呼出の存在を示し、及び前記第１のエンティティの識別情報及び前記到来する呼出の識別情報を伝達し、
前記コンピュータ装置が、前記第２のエンティティからの入力を受信し、
前記サーバが、前記到来する呼出を送出する、
拡張された通信サービスを提供する装置。
【請求項１３】
第１のエンティティが第２のエンティティの番号を入力した際に該第１のエンティティから該第２のエンティティへと到来する呼出を生成する拡張された通信サービスを提供する装置であって、
前記到来する呼出を受信するＰＳＴＮ交換器と、
該ＰＳＴＮ交換器と関連するゲートウェイと、
該ゲートウェイと関連する、自動的な規則を有するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を該ゲートウェイから前記サーバへと送り、
該サーバが、発呼側ＩＤ、前記ＰＳＴＮ交換器から受信した前記呼出情報からの被呼側番号情報、システムからの音声プロンプト、及び前記第１のエンティティからのＤＴＭＦトーン応答からなるグループから選択された１つの識別子を使用し、及び前記第１のエンティティからの可聴信号を捕捉して、前記第１のエンティティを識別し、
該サーバが、前記第２のエンティティのコンピュータ装置が該サーバと通信を行っているか否かを判定し、
該サーバが、インターネットプロトコル接続を介して前記コンピュータ装置へメッセージを送って、前記到来する呼出の存在を示し、及び前記第１のエンティティの識別情報及び前記到来する呼出の識別情報を伝達し、
前記コンピュータ装置が、前記第２のエンティティからの入力を受信し、
前記サーバが、前記到来する呼出を送出する、
拡張された通信サービスを提供する装置。
【請求項１４】
第１のエンティティが第２のエンティティの番号を入力した際に該第１のエンティティから該第２のエンティティへと到来する呼出を生成する拡張された通信サービスを提供する装置であって、
前記到来する呼出を受信するＰＳＴＮ交換器と、
該ＰＳＴＮ交換器と関連するゲートウェイと、
該ゲートウェイと関連する、自動的な規則を有するサーバと、
ＰＳＴＮを介してインターネット及び他の発呼側にアクセスするためのインターネットプロトコル接続と、
ソフトウェアを含むコンピュータ装置であって、パーソナルコンピュータ、ハンドヘルドコンピューティング装置、ワイヤレス電話、テレビ、ウェブインタフェイス機器、及び電話機器との音声及びＤＴＭＦトーン対話を使用するコンピュータからなるグループから選択されたものであり、前記インターネットプロトコル接続を介してインターネットに接続することにより到来する呼出に関して該接続がビジーになる、コンピュータ装置とを備えており、
前記ＰＳＴＮ交換器が、前記到来する呼出及び前記第１のエンティティの呼出情報を前記ゲートウェイへ送り、
該ゲートウェイが、前記到来する呼出及び前記第１のエンティティの呼出情報を該ゲートウェイから前記サーバへと送り、
該サーバが、前記第１のエンティティを識別し、
該サーバが、前記第２のエンティティのコンピュータ装置が該サーバと通信を行っているか否かを判定し、
該サーバが、インターネットプロトコル接続を介して前記コンピュータ装置へメッセージを送って、前記到来する呼出の存在を示し、及び前記第１のエンティティの識別情報及び前記到来する呼出の識別情報を伝達し、
前記コンピュータ装置が、前記第２のエンティティからの入力を受信し、
前記サーバが、前記到来する呼出を送出する、
拡張された通信サービスを提供する装置。
【請求項１５】
第１のエンティティが第２のエンティティの番号を入力した際に該第１のエンティティから該第２のエンティティへと到来する呼出を生成する拡張された通信サービスを提供する装置であって、
前記到来する呼出を受信するＰＳＴＮ交換器と、
該ＰＳＴＮ交換器と関連するゲートウェイと、
該ゲートウェイと関連する、自動的な規則を有するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を該ゲートウェイから前記サーバへと送り、
該サーバが、前記第１のエンティティを識別し、
該サーバが、前記第２のエンティティのコンピュータ装置が該サーバと通信を行っているか否かを判定し、
該サーバが、単一電話回線のダイヤルアップ接続、常時オン陸回線ホーム接続、常時オン陸回線オフィス接続、及び常時オン無線接続からなるグループを含むインターネットプロトコル接続を介して前記コンピュータ装置へメッセージを送って、前記到来する呼出の存在を示し、及び前記第１のエンティティの識別情報及び前記到来する呼出の識別情報を伝達し、
前記コンピュータ装置が、前記第２のエンティティからの入力を受信し、
前記サーバが、前記到来する呼出を送出する、
拡張された通信サービスを提供する装置。
【請求項１６】
第１のエンティティが第２のエンティティの番号を入力した際に該第１のエンティティから該第２のエンティティへと到来する呼出を生成する拡張された通信サービスを提供する装置であって、
前記到来する呼出を受信するＰＳＴＮ交換器と、
該ＰＳＴＮ交換器と関連するゲートウェイと、
該ゲートウェイと関連する、自動的な規則を有するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を該ゲートウェイから前記サーバへと送り、
該サーバが、前記第１のエンティティを識別し、
該サーバが、前記第２のエンティティのコンピュータ装置が該サーバと通信を行っているか否かを判定し、
該サーバが、インターネットプロトコルを使用してインターネットプロトコル接続を介して前記コンピュータ装置へメッセージを送って、前記到来する呼出の存在を示し、及び前記第１のエンティティの識別情報及び前記到来する呼出の識別情報を伝達し、
前記コンピュータ装置が、入力なし、回路交換網を介した到来する呼出の伝送、インターネットプロトコル接続を介したインターネットプロトコルを使用した呼出の受容、回路交換網又はインターネットプロトコルネットワークを介した呼出の再生成、及び発呼側との対話をサーバに行わせて情報を提供し又は可聴信号を記録することからなるグループから選択された１つの呼出操作命令に応じて、前記第２のエンティティからの入力を受信し、
前記サーバが、前記到来する呼出を送出する、
拡張された通信サービスを提供する装置。
【請求項１７】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記第２のエンティティのコンピュータ装置が該サーバと通信を行っているか否かを判定し、
該サーバが、前記到来する呼出の存在を示すと共に前記第１のエンティティの識別情報及び前記到来する呼出の識別情報を伝達するメッセージをインターネットプロトコル接続を介して前記コンピュータ装置へ送り、、
前記コンピュータ装置が、前記第２のエンティティからの入力を受信し、
前記サーバが、前記到来する呼出を送出し、
該サーバが、前記到来する呼出に対する返答を該サーバに行わせるコマンドを前記コンピュータ装置から受信し、
該サーバが、前記到来する呼出に対する返答を行い、
該サーバが、メッセージを再生し、
該サーバが、発呼側からのメッセージを記録し、
該サーバが、前記メッセージに関する可聴情報を、前記コンピュータ装置及びインターネットプロトコル接続を介して第２のエンティティへ随意選択的に提供し、
格納プラットフォームが、前記メッセージを随意選択的に格納する、
拡張された通信サービスを提供する装置。
【請求項１８】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記第２のエンティティのコンピュータ装置が該サーバと通信を行っているか否かを判定し、
該サーバが、前記到来する呼出の存在を示すと共に前記第１のエンティティの識別情報及び前記到来する呼出の識別情報を伝達するメッセージをインターネットプロトコル接続を介して前記コンピュータ装置へ送り、、
前記コンピュータ装置が、前記第２のエンティティからの入力を受信し、
前記サーバが、前記到来する呼出を送出し、
該サーバが、前記到来する呼出に対する返答を該サーバに行わせるコマンドを前記コンピュータ装置から受信し、
該サーバが、前記到来する呼出に対する返答を行い、
該サーバが、メッセージを再生し、
該サーバが、発呼側からのメッセージを記録し、
該サーバが、前記メッセージに関する可聴情報を、前記コンピュータ装置及びインターネットプロトコル接続を介して第２のエンティティへ随意選択的に提供し、
前記メッセージを格納するためのサーバ及びコンピュータ装置からなるグループから選択された１つの格納プラットフォームが、前記メッセージを随意選択的に格納する、
拡張された通信サービスを提供する装置。
【請求項１９】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記コンピュータ装置が該サーバと通信を行っているか否かを判定し、
該サーバが、前記到来する呼出の存在を示すと共に前記第１のエンティティの識別情報及び前記到来する呼出の識別情報を伝達するメッセージをインターネットプロトコル接続を介して前記コンピュータ装置へ送り、、
前記コンピュータ装置が、前記第２のエンティティからの入力を受信し、
前記サーバが、前記到来する呼出を送出し、
該サーバが、前記到来する呼出に対する返答を該サーバに行わせるコマンドを前記コンピュータ装置から受信し、
該サーバが、前記到来する呼出に対する返答を行い、
該サーバが、メッセージを再生し、
該サーバが、発呼側からのメッセージを記録し、
該サーバが、前記メッセージに関する可聴情報を、前記コンピュータ装置及びインターネットプロトコル接続を介して第２のエンティティへ随意選択的に提供し、
格納プラットフォームが、前記メッセージを随意選択的に格納し、
前記コンピュータ装置が、複数の異なる音声挨拶状を記録し、
記憶装置が、前記音声挨拶状を格納し、
前記サーバが、前記音声挨拶状のうちの予め選択された１つを発呼側に対してオンデマンドで再生する、
拡張された通信サービスを提供する装置。
【請求項２０】
拡張された通信サービスを提供する装置であって、
ＰＳＴＮ交換器と、
該ＰＳＴＮ交換器と関連するゲートウェイと、
該ゲートウェイと関連するサーバと、
ＰＳＴＮを介してインターネット及び他の発呼側にアクセスするためのインターネットプロトコル接続と、
ソフトウェアを含むコンピュータ装置であって、該インターネットプロトコル接続を介してインターネットに接続することにより到来する呼出に関して該接続がビジーになる、コンピュータ装置とを備えており、
前記ＰＳＴＮ交換器が、第１のエンティティからの到来する呼出を受信し、
該ＰＳＴＮ交換器が、前記到来する呼出及び前記第１のエンティティの呼出情報を該ＰＳＴＮ交換器から前記ゲートウェイへ送り、
該ゲートウェイが、前記到来する呼出及び前記第１のエンティティの呼出情報を前記サーバへ送り、
該サーバが、前記第１のエンティティを識別し、
該サーバが、前記コンピュータ装置が該サーバと通信を行っているか否かを判定し、
該サーバが、前記到来する呼出の存在を示すと共に前記第１のエンティティの識別情報及び前記到来する呼出の識別情報を伝達するメッセージをインターネットプロトコル接続を介して前記コンピュータ装置へ送り、、
前記コンピュータ装置が、前記第２のエンティティからの入力を受信し、
前記サーバが、前記到来する呼出を送出し、
該サーバが、前記到来する呼出の自動的な取扱いに関連する特殊な命令が格納されているか否かを判定し、
該サーバが、前記特殊な命令に基づき前記到来する呼出を送出する、
拡張された通信サービスを提供する装置。
【請求項２１】
通信ネットワークに接続された拡張された電話サービスを提供するシステムであって、
前記通信に関連するＰＳＴＮ交換器と、
該ＰＳＴＮ交換器に関連するゲートウェイと、
該ゲートウェイに接続された中央サーバであって、
メッセージを格納する手段と、
呼出操作命令を格納する手段と、
ユーザ認証を提供する手段と、
呼出制御を提供する手段と
を備えている、中央サーバと、
電話器及びインターネットプロトコルに接続された端末を含む複数の装置と、
該複数の装置のホストとなりそれら装置に接続された、ソフトウェアを含むコンピュータ装置であって、
該コンピュータ装置をインターネットプロトコル接続を介して前記中央サーバへ接続する手段と、
到来する呼出、発呼側情報及び可聴信号、及び到来する呼出が送られた番号に関する呼出情報を前記中央サーバから受信する手段と、
前記呼出情報を前記コンピュータ装置上に表示する手段と、
ユーザから前記コンピュータ装置への入力を受信する手段と、
前記到来する呼出の情報及び／又は前記コンピュータ装置からのユーザ入力に従って複数の装置へ前記到来する呼出を送る手段と、
メッセージの記録及び格納を行うよう前記中央サーバに命令する手段と、
前記到来する呼出を別のロケーションへ転送する手段と
を備えている、コンピュータ装置と
を備えている、拡張された電話サービスを提供するシステム。
【請求項２２】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、呼出形式、発呼側番号、被呼側番号、時刻、及び被呼親族等のプロパティに基づき前記到来する呼出の監視及びスクリーニングを行い、
前記コンピュータ装置が、加入者が呼出の取扱いを指定することを可能にし、
前記サーバが、該加入者による呼出の取扱いを観察して記録し、
前記サーバが、該加入者による呼出の取扱いの動的なプロファイルを捕捉して格納し、
前記サーバが、加入者の動的な呼出取扱いプロファイルを処理して発呼側の優先順位及び考え得る自動化された呼出操作規則を推論し、
前記コンピュータ装置が、提案された自動化された呼出操作規則の加入者による再検討を可能にし、
前記サーバが、加入者により承諾された自動化された呼出操作規則を収集し格納する、
拡張された通信サービスを提供する装置。
【請求項２３】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置と、
加入者の呼出形式及び発呼側の優先順位を含むデータベースとを備えており、
前記コンピュータ装置が、到来する呼出に関する異なるレベルの利用可能性を加入者が前記単一の加入者回線を介して確立することを可能にする、
拡張された通信サービスを提供する装置。
【請求項２４】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、加入者の利用可能性レベルを、到来する呼出の識別された優先順位レベルと一致させて、該到来する呼出に対して返答を行うための適当な技法を選択する、
拡張された通信サービスを提供する装置。
【請求項２５】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、加入者の到来する呼出の利用可能性レベルに、呼出監視利用可能性レベル（ｍｏｎｉｔｏｒ−ｃａｌｌ−ａｖａｉｌａｂｉｌｉｔｙ−ｌｅｖｅｌ）を含ませる、
拡張された通信サービスを提供する装置。
【請求項２６】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、加入者の呼出監視レベルの利用可能性レベルを、到来する呼出の識別された優先順位レベルと一致させて、加入者が、発呼側からの可聴メッセージを前記コンピュータ装置及び前記単一の加入者回線を介して監視することができるようにする、
拡張された通信サービスを提供する装置。
【請求項２７】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、前記コンピュータ装置及び前記単一の加入者回線を介して加入者が呼出操作技法をマニュアルで指定することにより前記選択された呼出操作技法を無効にすることを可能にする、
拡張された通信サービスを提供する装置。
【請求項２８】
拡張された通信サービスを提供する装置であって、
インターネットからアクセスすることが可能なサーバと、
ＰＳＴＮを介してインターネット及び他の発呼側にアクセスするための単一の加入者回線と、
ソフトウェアを含むコンピュータ装置であって、該単一の加入者回線を介してインターネットに接続することにより到来する呼出に関して該接続がビジーになる、コンピュータ装置とを備えており、
前記サーバが、加入者が前記コンピュータ装置及び前記単一の加入者回線を介して自動的な呼出操作の決定を無効にした場合に該加入者の自動的な呼出操作のプロファイルを動的に更新する、
拡張された通信サービスを提供する装置。